(57)【要約】【課題】投入口の大きさを確保し、かつ天板上の有効な調理スペースの減少を抑えたキッチンユニットを提供する。【解決手段】キャビネットの天板２に、生ごみ処理機につながる生ごみ投入口１５と、シンク５につながる水切り領域３１とを備え、この水切り領域３１に設けた水切りトレー３３を生ごみ投入口１５の上に載置可能に構成した。【選択図】　　　図５
2004121346.tif 000002
【特許請求の範囲】
【請求項１】
キャビネットの天板に、生ごみ処理機につながる生ごみ投入口と、シンクにつながる水切り領域とを備え、
この水切り領域に設けた水切りトレーを生ごみ投入口の上に載置可能に構成したことを特徴とするキッチンユニット。
【請求項２】
生ごみ投入口と水切り領域とをシンクの横に並べて設け、奥行き方向の奧側に生ごみ投入口を設け、手前側に水切り領域を設けたことを特徴とする請求項１記載のキッチンユニット。
【発明の詳細な説明】
【０００１】
【発明の属する技術分野】
本発明は、キャビネットの天板の下方に生ごみ処理機を組み込んだキッチンユニットに関する。
【０００２】
【従来の技術】
一般に、キャビネットの天板の下方に生ごみ処理機を組み込み、天板に設けた投入口から生ごみ処理機に生ごみを投入可能に構成したキッチンユニットが知られている（特許文献１参照）。
【０００３】
この種のキッチンユニットでは、生ごみ処理機につながる投入口の大きさを大きくしたいとする要望がある。
【０００４】
【特許文献１】
特開平１１−１３７３５２号公報
【０００５】
【発明が解決しようとする課題】
しかし、投入口の大きさをあまり大きくした場合、天板上の有効な調理スペースが減少するという問題がある。
【０００６】
そこで、本発明の目的は、上述した従来の技術が有する課題を解消し、投入口の大きさを確保し、かつ天板上の有効な調理スペースの減少を抑えたキッチンユニットを提供することにある。
【０００７】
【課題を解決するための手段】
請求項１記載の発明は、キャビネットの天板に、生ごみ処理機につながる生ごみ投入口と、シンクにつながる水切り領域とを備え、この水切り領域に設けた水切りトレーを生ごみ投入口の上に載置可能に構成したことを特徴とする。
【０００８】
請求項２記載の発明は、請求項１記載のものにおいて、生ごみ投入口と水切り領域とをシンクの横に並べて設け、奥行き方向の奧側に生ごみ投入口を設け、手前側に水切り領域を設けたことを特徴とする。
【０００９】
【発明の実施の形態】
以下、本発明の一実施形態を添付した図面に基づいて説明する。
【００１０】
図１及び図２において、本キッチンユニットは、レンジキャビネットＡと、調理キャビネットＢと、シンクキャビネットＣとを並設し、これらの並設したキャビネットの上面に一枚板のステンレス製のトップカウンター（天板）２を取付けて構成されている。
【００１１】
レンジキャビネットＡは、上面に加熱調理用のバーナ部１を有し、このバーナ部１の下方にはグリル６が設置されている。グリル６の下方には、引き出し８が設けられ、この引き出し８の内側には種々の調理道具を収納可能な収納部が設けられている。
【００１２】
調理キャビネットＢは、その上面が調理台として調理作業に利用される。この調理台の下方には引き出し９が設けられ、この引き出し９の内側には種々の調理道具が収納されている。
【００１３】
シンクキャビネットＣは、その上面にシンク５が形成されており、このシンク５の下方には、上下２段の引き出し１１が設けられ、種々の調理道具等が収納されている。１３は水栓である。引き出し１１にはそれぞれ収納部１１Ａが設けられ、上段の引き出し１１の収納部１１Ａには、シンク５の排水部５Ａを避ける凹み１１Ｂが形成されている。
【００１４】
本実施形態では、シンクキャビネットＣのシンク５に隣接して、当該キャビネットのトップカウンター２に、生ごみ投入口１５と、シンク５につながる、深さが浅い水切り領域３１とが形成され、この水切り領域３１には水切りトレー３３が載置されている。生ごみ投入口１５と水切り領域３１とは、シンク５の横に並べて設けられ、奥行き方向の奧側に生ごみ投入口１５が設けられ、手前側に水切り領域３１が設けられている。
【００１５】
そして、投入口１５に連なる生ごみ処理機１７が、トップカウンター２の下方でシンク５に隣接して配置されている。
【００１６】
生ごみ処理機１７は、図３に示すように、仕切板１８の上に載置され、当該生ごみ処理機１７の上部は、図１に示すように、シンク５の底部５Ａよりも高い位置に臨むように突出し、その分だけ、生ごみ処理機１７の下側には広いスペースが確保され、このスペースを有効利用して、図３に示すように、物品収納用の引き出し１９が設けられている。
【００１７】
この引き出し１９には収納部１９Ａが設けられ、この収納部１９Ａは蹴込み部分に亘って延在している。
【００１８】
この引き出し１９と、シンク５の下に位置する下段の引き出し１１とは、高さを揃えて横並びに配置され、さらに、これら引き出し１１，１９と、レンジキャビネットＡ、及び調理キャビネットＢの各引き出し８，９とも、高さを揃えて横並びに配置され、これによって、見栄えが向上している。２１は扉である。また、この生ごみ処理機１７には排気筒２２が接続され、排気筒２２は壁を貫通して建屋外に突出している。
【００１９】
生ごみ処理機１７の入口１７Ａとトップカウンター２の投入口１５とは連結具２３を介して連結されている。市販の生ごみ処理機１７を使用した場合、その入口１７Ａの口径は決まっている。これに対し、トップカウンター２の投入口１５は大きければ大きいほど、生ごみの投入が容易なため、可能な限り大きくすることが望ましい。従って、この連結具２３は、トップカウンター２の投入口１５側が広い先細り状に形成される。
【００２０】
この連結具２３は、図４に示すように、生ごみ処理機１７の入口１７Ａとトップカウンター２の投入口１５とをつなぐ本体２３Ａと、この本体２３Ａの内側に嵌まる略相似形のインナー２３Ｂと、上蓋２３Ｃとからなり、清掃時にはインナー２３Ｂと上蓋２３Ｃを取り外すことができるため、各パーツ２３Ｂ、２３Ｃを簡単に水洗いできる。
【００２１】
上記構成では、シンク５の真下ではなく、シンク５を避けた位置で、しかもシンク５に隣接させて、その底部５Ａよりも高い位置に臨むように突出させて、生ごみ処理機１７を配置したため、その分だけ、生ごみ処理機１７の下側に広いスペースが確保された。従って、このスペースに、物品収納用の引き出し１９を設けることができ、この引き出し１９は蹴込み部分に亘って延在するため、大きな物品収納量が確保される。
【００２２】
また、上記構成では、シンク５の真下に生ごみ処理機１７が位置しないため、このスペースが広くなり、このスペースに、上下２段の引き出し１１を設けたため、さらに収納量が増大し、上段の引き出し１１の収納部１１Ａには、シンク５の排水部５Ａを避ける凹み１１Ｂを形成したため、上段のスペースをも有効利用することができる。
【００２３】
ところで、トップカウンター２の投入口１５は、大きければ大きいほど望ましく、生ごみ投入口１５の大きさを大きくしたいとする要望がある。しかし、生ごみ投入口１５の大きさをあまり大きくした場合、トップカウンター２上の有効な調理スペースが減少する。
【００２４】
本実施形態では、水切り領域３１上の水切りトレー３３を、図５に示すように、生ごみ投入口１５上に載置可能に構成されている。この場合、水切り領域３１上の水切りトレー３３を取り外して、生ごみ投入口１５上に移動して、そこに載置する。図５の状態では、水切り領域３１上を調理スペースとして利用しながら、生ごみ投入口１５上の水切りトレー３３の上に、例えば鍋、やかん等を載置でき、いわゆる調理に利用できる有効スペースを増大させることができる。具体的には、図６に示すように、水切りトレー３３には４隅に脚３３Ａが形成され、この脚３３Ａの高さＨが、水切り領域３１の凸条３１Ａの高さよりも高く、生ごみ投入口１５の上蓋２３Ｃの高さよりも高く形成され、水切り領域３１上では凸条３１Ａを跨ぐように、また、生ごみ投入口１５上では、上蓋２３Ｃを跨ぐように夫々の上に載置される。
【００２５】
以上、一実施形態に基づいて本発明を説明したが、本発明は、これに限定されるものではない。
【００２６】
図１では、生ごみ処理機１７をシンク５の右側に位置させているが、これに限定されるものではなく、生ごみ処理機１７をシンク５の左側に位置させてもよいことは明らかである。
【００２７】
【発明の効果】
請求項１乃至２記載の発明では、投入口の大きさを確保した上で、天板上の有効な調理スペースの減少を抑えることができた。
【図面の簡単な説明】
【図１】本発明によるキッチンユニットの全体正面図である。
【図２】同じく平面図である。
【図３】同じく断面図である。
【図４】連結具の分解斜視図である。
【図５】水切りトレーを移動した図である。
【図６】キッチンユニットの断面図である。
【符号の説明】
２　トップカウンター（天板）
５　シンク
１５　投入口
１７　生ごみ処理機
３１　水切り領域
３３　水切りトレー
Ａ　レンジキャビネット
Ｂ　調理キャビネット
Ｃ　シンクキャビネット
【図１】
2004121346.tif 000003
【図２】
2004121346.tif 000004
【図３】
2004121346.tif 000005
【図４】
2004121346.tif 000006
【図５】
2004121346.tif 000007
【図６】
2004121346.tif 000008